(57)【要約】本発明の伸縮性実装基板は、第一の伸縮性基材と、上記第一の伸縮性基材の一方主面上に配置される伸縮性配線と、上記伸縮性配線の一方主面上に配置される電極と、上記伸縮性配線の一方主面上に実装される機能部品と、を備える伸縮性実装基板であって、上記機能部品の実装部は、上記機能部品が上記伸縮性実装基板の第一の主面側を向き、かつ、上記電極が上記伸縮性実装基板の第二の主面側を向くように折り返されている。
2020158031.tif 000002
【特許請求の範囲】
【請求項１】
第一の伸縮性基材と、
前記第一の伸縮性基材の一方主面上に配置される伸縮性配線と、
前記伸縮性配線の一方主面上に配置される電極と、
前記伸縮性配線の一方主面上に実装される機能部品と、を備える伸縮性実装基板であって、
前記機能部品の実装部は、前記機能部品が前記伸縮性実装基板の第一の主面側を向き、かつ、前記電極が前記伸縮性実装基板の第二の主面側を向くように折り返されている、ことを特徴とする伸縮性実装基板。
【請求項２】
前記第一の伸縮性基材との間に前記伸縮性配線が介在するように配置され、第一の開口及び第二の開口が設けられる第二の伸縮性基材を更に有し、
前記第一の開口内には、前記電極が配置され、
前記第二の開口内には、前記機能部品が配置されている、請求項１に記載の伸縮性実装基板。
【請求項３】
前記伸縮性実装基板を平面視した状態で、前記機能部品の実装部は、第一の輪郭線と前記第一の輪郭線の両端を結ぶ第二の輪郭線とで囲まれており、
前記機能部品の実装部は、前記第一の輪郭線に沿って周辺部と分離されており、かつ、前記機能部品が前記伸縮性実装基板の前記第一の主面側を向くように前記第二の輪郭線に沿って折り返されている、請求項１又は２に記載の伸縮性実装基板。
【請求項４】
前記機能部品は、増幅器である、請求項１〜３のいずれかに記載の伸縮性実装基板。
【請求項５】
前記機能部品は、コネクタである、請求項１〜３のいずれかに記載の伸縮性実装基板。
【請求項６】
前記第一の伸縮性基材において、前記機能部品の実装部に属する部分と属さない部分とは、前記機能部品と平面視で重ならない位置で接着されている、請求項１〜５のいずれかに記載の伸縮性実装基板。
【請求項７】
前記機能部品は、樹脂材料で被覆されて前記伸縮性配線に固定されている、請求項１〜６のいずれかに記載の伸縮性実装基板。
【発明の詳細な説明】
【技術分野】
【０００１】
本発明は、伸縮性実装基板に関する。
【背景技術】
【０００２】
近年、配線基板を用いて、生体情報を取得及び解析することによって、生体（例えば、人体）の状態等を管理することが行われている。【０００３】
このような配線基板には、増幅器、コネクタ、等の機能部品を実装することがある。例えば、特許文献１には、生体信号増幅器がシートに形成された電極シートが開示されている。
【先行技術文献】
【特許文献】
【０００４】
【特許文献１】特開２０１７−２１７０９８号公報
【発明の概要】
【発明が解決しようとする課題】
【０００５】
特許文献１に記載の電極シートにおいては、シートが伸縮性を有する場合、シートにおける生体信号増幅器が形成された部分の伸縮性を、他の部分の伸縮性よりも小さくする必要がある。これは、電極シートの伸縮時に、生体信号増幅器の信号増幅特性（例えば、周波数毎の利得）の変化を抑制し、生体信号増幅器の破損を防止するためである。しかしながら、このような電極シートが生体に貼り付けられる際に大きく伸縮すると、生体信号増幅器が外れるという問題がある。【０００６】
本発明は、上記の問題を解決するためになされたものであり、伸縮時に機能部品が外れにくい伸縮性実装基板を提供することを目的とするものである。
【課題を解決するための手段】
【０００７】
本発明の伸縮性実装基板は、第一の伸縮性基材と、上記第一の伸縮性基材の一方主面上に配置される伸縮性配線と、上記伸縮性配線の一方主面上に配置される電極と、上記伸縮性配線の一方主面上に実装される機能部品と、を備える伸縮性実装基板であって、上記機能部品の実装部は、上記機能部品が上記伸縮性実装基板の第一の主面側を向き、かつ、上記電極が上記伸縮性実装基板の第二の主面側を向くように折り返されている、ことを特徴とする。
【発明の効果】
【０００８】
本発明によれば、伸縮時に機能部品が外れにくい伸縮性実装基板を提供できる。
【図面の簡単な説明】
【０００９】
【図１】本発明の実施形態１に係る伸縮性実装基板に関し、増幅器の実装部が折り返される前の状態を示す平面模式図である。
【図２】図１中の線分Ａ１−Ａ２に対応する部分を示す断面模式図である。
【図３】図１中の増幅器の実装部が折り返された後の状態を示す平面模式図である。
【図４】図３中の線分Ａ１−Ａ２に対応する部分を示す断面模式図である。
【図５】本発明の実施形態２に係る伸縮性実装基板を示す平面模式図である。
【図６】図５中の線分Ａ３−Ａ４に対応する部分を示す断面模式図である。
【図７】本発明の実施形態３に係る伸縮性実装基板を示す平面模式図である。
【図８】図７中の線分Ａ５−Ａ６に対応する部分を示す断面模式図である。
【図９】本発明の実施形態４に係る伸縮性実装基板を示す平面模式図である。
【図１０】図９中の線分Ａ７−Ａ８に対応する部分を示す断面模式図である。
【発明を実施するための形態】
【００１０】
以下、本発明の伸縮性実装基板について説明する。なお、本発明は、以下の構成に限定されるものではなく、本発明の要旨を逸脱しない範囲において適宜変更されてもよい。また、以下において記載する個々の好ましい構成を複数組み合わせたものもまた本発明である。
【００１１】
以下に示す各実施形態は例示であり、異なる実施形態で示す構成の部分的な置換又は組み合わせが可能であることは言うまでもない。実施形態２以降では、実施形態１と共通の事項についての記載は省略し、異なる点を主に説明する。特に、同様の構成による同様の作用効果については、実施形態毎に逐次言及しない。以下の説明において、各実施形態を特に区別しない場合、単に「本発明の伸縮性実装基板」と言う。
【００１２】
本発明の伸縮性実装基板は、第一の伸縮性基材と、第一の伸縮性基材の一方主面上に配置される伸縮性配線と、伸縮性配線の一方主面上に配置される電極と、伸縮性配線の一方主面上に実装される機能部品と、を備える伸縮性実装基板であって、機能部品の実装部は、機能部品が伸縮性実装基板の第一の主面側を向き、かつ、電極が伸縮性実装基板の第二の主面側を向くように折り返されている、ことを特徴とする。また、本発明の伸縮性実装基板は、第一の伸縮性基材との間に伸縮性配線が介在するように配置され、第一の開口及び第二の開口が設けられる第二の伸縮性基材を更に有し、第一の開口内には、電極が配置され、第二の開口内には、機能部品が配置されていてもよい。このように、本発明の伸縮性実装基板では、第一の伸縮性基材に加えて第二の伸縮性基材を有することが必須の要件ではないが、以下に示す各実施形態では、伸縮性実装基板が第一の伸縮性基材及び第二の伸縮性基材を有する例を示す。
【００１３】
［実施形態１］
本発明の伸縮性実装基板では、機能部品は、増幅器であってもよい。このような例を、本発明の実施形態１に係る伸縮性実装基板として説明する。
【００１４】
図１は、本発明の実施形態１に係る伸縮性実装基板に関し、増幅器の実装部が折り返される前の状態を示す平面模式図である。図２は、図１中の線分Ａ１−Ａ２に対応する部分を示す断面模式図である。
【００１５】
図１、２に示すように、伸縮性実装基板１ａは、第一の伸縮性基材１０と、伸縮性配線２０と、第二の伸縮性基材３０と、電極４０と、増幅器５０と、を有している。なお、図１では、第一の伸縮性基材１０及び第二の伸縮性基材３０が透過して示されている。
【００１６】
伸縮性配線２０は、第一の伸縮性基材１０の一方主面上に配置されている。
【００１７】
第二の伸縮性基材３０は、第一の伸縮性基材１０との間に伸縮性配線２０が介在するように配置されている。第二の伸縮性基材３０には、第一の開口３１及び第二の開口３２が設けられている。
【００１８】
電極４０は、第二の伸縮性基材３０の第一の開口３１内において、伸縮性配線２０の一方主面上（第一の伸縮性基材１０とは反対側の表面上）に配置されている。つまり、電極４０は、伸縮性配線２０と電気的に接続されている。
【００１９】
増幅器５０は、第二の伸縮性基材３０の第二の開口３２内において、伸縮性配線２０の一方主面上（第一の伸縮性基材１０とは反対側の表面上）に実装されている。つまり、増幅器５０は、伸縮性配線２０と電気的に接続されている。
【００２０】
図１では、伸縮性実装基板１ａを第二の主面側から平面視した状態が示されている。図２では、上側が第二の主面側であり、下側が第一の主面側である。したがって、増幅器の実装部５１が折り返される前の状態では、電極４０及び増幅器５０がともに伸縮性実装基板１ａの第二の主面側を向いている。
【００２１】
増幅器の実装部５１を伸縮性実装基板１ａの第二の主面側から第一の主面側に折り返すと、図３、４に示すような状態が得られる。図３は、図１中の増幅器の実装部が折り返された後の状態を示す平面模式図である。図４は、図３中の線分Ａ１−Ａ２に対応する部分を示す断面模式図である。
【００２２】
図３、４に示すように、増幅器の実装部５１が折り返された後の状態では、電極４０が伸縮性実装基板１ａの第二の主面側を向き、増幅器５０が伸縮性実装基板１ａの第一の主面側を向いている。本明細書中、「増幅器の実装部」は、増幅器に加えて、増幅器の周辺に配置される伸縮性基材及び伸縮性配線を含む。
【００２３】
図１及び図３に示すように伸縮性実装基板１ａを平面視した状態で、増幅器の実装部５１は、第一の輪郭線５１Ａと第一の輪郭線５１Ａの両端を結ぶ第二の輪郭線５１Ｂとで囲まれている。本実施形態では、平面形状が矩形の増幅器５０の４辺のうち、３辺が第一の輪郭線５１Ａと対向し、残りの１辺が第二の輪郭線５１Ｂと対向している。そして、増幅器の実装部５１は、第一の輪郭線５１Ａに沿って周辺部と分離されており、かつ、増幅器５０が伸縮性実装基板１ａの第一の主面側を向くように第二の輪郭線５１Ｂに沿って折り返されている。増幅器の実装部５１を第一の輪郭線５１Ａに沿って周辺部と分離する方法としては、例えば、レーザー加工、打ち抜き加工、等が挙げられる。
【００２４】
伸縮性実装基板１ａは、電極４０を介して生体に貼り付けられることによってセンサとして使用できる。
【００２５】
第一の伸縮性基材１０及び第二の伸縮性基材３０の構成材料としては、例えば、熱可塑性ポリウレタン等の樹脂が挙げられる。第一の伸縮性基材１０及び第二の伸縮性基材３０の構成材料は、同じであってもよいし、異なっていてもよい。
【００２６】
第一の伸縮性基材１０及び第二の伸縮性基材３０は、伸縮性配線２０が配置されていない領域で接着されていてもよい。第一の伸縮性基材１０及び第二の伸縮性基材３０の構成材料が熱可塑性樹脂である場合、第一の伸縮性基材１０及び第二の伸縮性基材３０は熱圧着によって接着できる。第一の伸縮性基材１０及び第二の伸縮性基材３０は、接着剤によって接着されていてもよい。
【００２７】
伸縮性実装基板１ａが生体に貼り付けられる場合、生体表面の伸縮を阻害しない観点からは、第一の伸縮性基材１０及び第二の伸縮性基材３０の厚みは、各々、好ましくは１００μｍ以下であり、より好ましくは１μｍ以下である。また、第一の伸縮性基材１０及び第二の伸縮性基材３０の厚みは、各々、好ましくは０．１μｍ以上である。第一の伸縮性基材１０及び第二の伸縮性基材３０の厚みは、同じであってもよいし、異なっていてもよい。
【００２８】
伸縮性配線２０の構成材料としては、導電性粒子及び樹脂の混合物が好ましい。このような混合物としては、例えば、導電性粒子としての銀、銅、ニッケル等の金属粉とシリコーン樹脂等のエラストマー系樹脂との混合物等が挙げられる。導電性粒子の平均粒径は、好ましくは０．０１μｍ以上、１０μｍ以下である。導電性粒子の形状は、球形であることが好ましい。
【００２９】
伸縮性配線２０の厚みは、好ましくは１００μｍ以下であり、より好ましくは５０μｍ以下である。また、伸縮性配線２０の厚みは、好ましくは１μｍ以上である。
【００３０】
電極４０は、伸縮性実装基板１ａが生体に貼り付けられる場合に、生体信号を受信する役割を果たす。電極４０は、ゲル電極であることが好ましい。ゲル電極を介することによって、伸縮性実装基板１ａの生体への貼り付けが容易になる。ゲル電極は、例えば、水、アルコール、保湿剤、電解質、等を含む導電性のゲル材料から構成される。このようなゲル材料としては、例えば、ハイドロゲル等が挙げられる。
【００３１】
電極４０がゲル電極である場合、図２、４に示すように、ゲル電極は、第二の伸縮性基材３０から伸縮性実装基板１ａの第二の主面側に突出していることが好ましい。ゲル電極が第二の伸縮性基材３０から伸縮性実装基板１ａの第二の主面側に突出していると、伸縮性実装基板１ａがゲル電極を介して生体に貼り付けられる際に、ゲル電極が生体表面の凹凸に追従しやすい。そのため、ゲル電極と生体表面との密着性が高まる。更に、ゲル電極と生体表面との界面抵抗が低くなる。
【００３２】
電極４０がゲル電極である場合、ゲル電極において、第二の伸縮性基材３０から伸縮性実装基板１ａの第二の主面側に突出する部分の厚みは、好ましくは１μｍ以上であり、より好ましくは１００μｍ以上である。また、ゲル電極において、第二の伸縮性基材３０から伸縮性実装基板１ａの第二の主面側に突出する部分の厚みは、好ましくは１ｍｍ以下である。
【００３３】
増幅器５０は、機能部品の一種であり、伸縮性配線２０を伝わる信号を増幅する機能を有している。具体的には、増幅器５０によれば、電極４０が受信した微小な生体信号が増幅され、減衰することなく後段の回路に伝わる。伸縮性実装基板１ａの伸縮時には、伸縮性配線２０にノイズが入りやすいため、増幅器５０は、ノイズの影響を抑制する観点からも有用である。増幅器５０としては、例えば、オペアンプ、トランジスタ、等が挙げられる。
【００３４】
図３、４に示すように、伸縮性実装基板１ａにおいて、増幅器の実装部５１は、増幅器５０が伸縮性実装基板１ａの第一の主面側を向き、かつ、電極４０が伸縮性実装基板１ａの第二の主面側を向くように折り返されている。増幅器の実装部５１が折り返されていることによって、伸縮性実装基板１ａが生体に貼り付けられる際に伸縮しても、増幅器の実装部５１に影響が及びにくくなるため、結果的に、増幅器５０が外れにくくなる。また、特許文献１に記載の電極シートのように、増幅器の実装部５１の伸縮性を他の部分の伸縮性よりもあえて小さくしなくても、伸縮性実装基板１ａの伸縮時に、増幅器５０の信号増幅特性（例えば、周波数毎の利得）の変化が抑制され、増幅器５０の破損も防止される。
【００３５】
伸縮性実装基板１ａの伸縮時に伸縮性配線２０に入るノイズの影響を抑制しつつ、生体信号を増幅する観点からは、電極４０と増幅器５０との間の伸縮性配線２０が短いほど好ましい。しかしながら、電極４０と増幅器５０との間の伸縮性配線２０が短過ぎる場合、増幅器の実装部５１が折り返されていない状態（例えば、図１、２に示すような状態）では、伸縮性実装基板１ａを生体に貼り付けようとすると、電極４０よりも厚い増幅器５０が生体と干渉し、電極４０が生体表面から浮いてしまう（生体表面と接触しなくなってしまう）。
【００３６】
これに対して、伸縮性実装基板１ａにおいては、増幅器の実装部５１が折り返されているため、伸縮性実装基板１ａが生体に貼り付けられる際に、増幅器５０が生体と干渉しない。よって、伸縮性実装基板１ａにおいては、電極４０と増幅器５０との間の伸縮性配線２０を極力短くできる。その結果、増幅器５０が生体信号を増幅するにあたって、伸縮性実装基板１ａの伸縮時に伸縮性配線２０に入るノイズの影響が極力抑制される。
【００３７】
増幅器の実装部５１は、図３に示すように電極４０及び増幅器５０が平面視で重なるように折り返されていてもよいが、電極４０及び増幅器５０が平面視で重ならないように折り返されていてもよい。
【００３８】
電極４０及び増幅器５０が平面視で重ならないように増幅器の実装部５１が折り返されている場合、伸縮性実装基板１ａにおいて増幅器の実装部５１が折り返されている部分は、折り返されていない部分と比較して、第一の伸縮性基材１０及び第二の伸縮性基材３０の合計厚みが大きくなるため、伸縮しにくくなる。したがって、伸縮性実装基板１ａの伸縮時に増幅器の実装部５１が伸縮しにくくなる。
【００３９】
一方、電極４０及び増幅器５０が平面視で重なるように増幅器の実装部５１が折り返されている場合、伸縮性実装基板１ａにおいて増幅器の実装部５１が折り返されている部分には、第一の伸縮性基材１０、第二の伸縮性基材３０、及び、増幅器５０に加えて、電極４０が含まれる。そのため、伸縮性実装基板１ａにおいて増幅器の実装部５１が折り返されている部分の総厚については、電極４０及び増幅器５０が平面視で重なるように増幅器の実装部５１が折り返されている場合の方が、電極４０及び増幅器５０が平面視で重ならないように増幅器の実装部５１が折り返されている場合よりも大きくなる。したがって、伸縮性実装基板１ａの伸縮時に増幅器の実装部５１がより伸縮しにくくなる。また、伸縮性実装基板１ａの伸縮時に電極４０の配置部分が伸縮しにくいことを考慮すると、増幅器の実装部５１が折り返された状態で電極４０及び増幅器５０が平面視で重なっている方が、伸縮性実装基板１ａの伸縮時に増幅器の実装部５１がより伸縮しにくくなる。
【００４０】
［実施形態２］
本発明の伸縮性実装基板では、第一の伸縮性基材において、増幅器の実装部に属する部分と属さない部分とは、増幅器と平面視で重ならない位置で接着されていてもよい。このような例を、本発明の実施形態２に係る伸縮性実装基板として説明する。本発明の実施形態２に係る伸縮性実装基板は、折り返された第一の伸縮性基材が部分的に接着されていること以外、本発明の実施形態１に係る伸縮性実装基板と同様である。
【００４１】
図５は、本発明の実施形態２に係る伸縮性実装基板を示す平面模式図である。図６は、図５中の線分Ａ３−Ａ４に対応する部分を示す断面模式図である。
【００４２】
図５、６に示すように、伸縮性実装基板１ｂにおいて、増幅器の実装部５１は、増幅器５０が伸縮性実装基板１ｂの第一の主面側を向き、かつ、電極４０が伸縮性実装基板１ｂの第二の主面側を向くように折り返されている。より具体的には、増幅器の実装部５１は、第一の輪郭線５１Ａに沿って周辺部と分離されており、かつ、増幅器５０が伸縮性実装基板１ｂの第一の主面側を向くように第二の輪郭線５１Ｂに沿って折り返されている。
【００４３】
第一の伸縮性基材１０において、増幅器の実装部５１に属する部分と属さない部分とは、増幅器５０と平面視で重ならない位置で接着されている。言い換えれば、折り返された第一の伸縮性基材１０は接着部７０で部分的に接着されており、接着部７０は増幅器５０と平面視で重ならない位置に設けられている。接着部７０を増幅器５０と平面視で重ならない位置に設けることによって、伸縮性実装基板１ｂの折り返された部分（増幅器の実装部５１）が、増幅器５０と平面視で重なる位置において、折り返されていない部分から浮く（折り返されていない部分と接触しない）。よって、伸縮性実装基板１ｂが生体に貼り付けられた状態では、伸縮性実装基板１ｂの貼付面の伸縮の影響が増幅器５０に及びにくくなるため、結果的に、増幅器５０が外れにくくなる。また、伸縮性実装基板１ｂの貼付面の振動が増幅器５０に伝わりにくくなるため、振動によるノイズが低減する。
【００４４】
接着部７０の構成材料としては、例えば、エポキシ樹脂、ウレタン樹脂、アクリル樹脂、フェノール樹脂、酢酸ビニル樹脂、クロロプレンゴム、スチレン−ブタジエンゴム、イソプレンゴム、天然ゴム、等が挙げられる。
【００４５】
接着部７０は、増幅器５０と平面視で重ならない位置として、図５に示すように電極４０と平面視で重なる位置に設けられていてもよいが、電極４０と平面視で重ならない位置に設けられていてもよい。
【００４６】
［実施形態３］
本発明の伸縮性実装基板では、機能部品は、コネクタであってもよい。このような例を、本発明の実施形態３に係る伸縮性実装基板として説明する。本発明の実施形態３に係る伸縮性実装基板は、増幅器の代わりにコネクタが実装されていること以外、本発明の実施形態１に係る伸縮性実装基板と同様である。
【００４７】
図７は、本発明の実施形態３に係る伸縮性実装基板を示す平面模式図である。図８は、図７中の線分Ａ５−Ａ６に対応する部分を示す断面模式図である。なお、図８では、図７には示されていない外部基板も示されている。
【００４８】
図７、８に示すように、伸縮性実装基板１ｃは、第一の伸縮性基材１０と、伸縮性配線２０と、第二の伸縮性基材３０と、電極４０と、コネクタ６０と、を有している。伸縮性実装基板１ｃは、コネクタ６０を介して外部基板８０に接続されている。
【００４９】
コネクタ６０は、第二の伸縮性基材３０の第二の開口３２内において、伸縮性配線２０の一方主面上（第一の伸縮性基材１０とは反対側の表面上）に実装されている。つまり、コネクタ６０は、伸縮性配線２０と電気的に接続されている。
【００５０】
コネクタ６０は、機能部品の一種であり、伸縮性配線２０と外部基板８０とを電気的に接続する機能を有している。コネクタ６０としては、垂直コネクタが使用できる。
【００５１】
伸縮性実装基板１ｃにおいて、コネクタの実装部６１は、コネクタ６０が伸縮性実装基板１ｃの第一の主面側を向き、かつ、電極４０が伸縮性実装基板１ｃの第二の主面側を向くように折り返されている。より具体的には、図７に示すように伸縮性実装基板１ｃを平面視した状態で、コネクタの実装部６１は、第一の輪郭線６１Ａと第一の輪郭線６１Ａの両端を結ぶ第二の輪郭線６１Ｂとで囲まれている。そして、コネクタの実装部６１は、第一の輪郭線６１Ａに沿って周辺部と分離されており、かつ、コネクタ６０が伸縮性実装基板１ｃの第一の主面側を向くように第二の輪郭線６１Ｂに沿って折り返されている。コネクタの実装部６１が折り返されていることによって、伸縮性実装基板１ｃが生体に貼り付けられる際に伸縮しても、コネクタの実装部６１に影響が及びにくくなるため、結果的に、コネクタ６０が外れにくくなる、本明細書中、「コネクタの実装部」は、コネクタに加えて、コネクタの周辺に配置される伸縮性基材及び伸縮性配線を含む。
【００５２】
伸縮性実装基板１ｃにおいては、コネクタの実装部６１が折り返されているため、伸縮性実装基板１ｃが生体に貼り付けられる際に、コネクタ６０が生体と干渉しない。よって、コネクタ６０に外部基板８０が接続された状態では、その接続部に生体からの振動が伝わりにくくなるため、振動によるノイズが低減する。また、振動防止を目的とした外部基板８０の固定が不要となる。
【００５３】
伸縮性実装基板１ｃが生体に貼り付けられた状態では、コネクタ６０が生体とは反対側を向いて見えやすいため、外部基板８０のコネクタ６０への接続が容易になる。更に、コネクタ６０として垂直コネクタを使用すれば、外部基板８０のコネクタ６０への接続がより容易になる。
【００５４】
伸縮性実装基板１ｃにおいては、コネクタの実装部６１を折り返すだけで、コネクタ６０を伸縮性実装基板１ｃの第一の主面側に容易に向けられる。コネクタ６０を伸縮性実装基板１ｃの第一の主面側に向ける方法としては、第一の伸縮性基材１０に開口を設けて伸縮性配線２０を伸縮性実装基板１ｃの第一の主面側に導出し、そこにコネクタ６０を接続する方法が考えられるが、高精度で行うことが困難である。このような観点から、伸縮性実装基板１ｃのように、コネクタの実装部６１が折り返されている構成が極めて有用である。
【００５５】
［実施形態４］
本発明の伸縮性実装基板では、第一の伸縮性基材において、コネクタの実装部に属する部分と属さない部分とは、コネクタと平面視で重ならない位置で接着されていてもよい。このような例を、本発明の実施形態４に係る伸縮性実装基板として説明する。本発明の実施形態４に係る伸縮性実装基板は、第一の伸縮性基材が折り返された状態で部分的に接着されていること以外、本発明の実施形態３に係る伸縮性実装基板と同様である。
【００５６】
図９は、本発明の実施形態４に係る伸縮性実装基板を示す平面模式図である。図１０は、図９中の線分Ａ７−Ａ８に対応する部分を示す断面模式図である。なお、図１０では、図９には示されていない外部基板も示されている。
【００５７】
図９、１０に示すように、伸縮性実装基板１ｄにおいて、コネクタの実装部６１は、コネクタ６０が伸縮性実装基板１ｄの第一の主面側を向き、かつ、電極４０が伸縮性実装基板１ｄの第二の主面側を向くように折り返されている。より具体的には、コネクタの実装部６１は、第一の輪郭線６１Ａに沿って周辺部と分離されており、かつ、コネクタ６０が伸縮性実装基板１ｄの第一の主面側を向くように第二の輪郭線６１Ｂに沿って折り返されている。
【００５８】
第一の伸縮性基材１０において、コネクタの実装部６１に属する部分と属さない部分とは、コネクタ６０と平面視で重ならない位置で接着されている。言い換えれば、折り返された第一の伸縮性基材１０は接着部７０で部分的に接着されており、接着部７０はコネクタ６０と平面視で重ならない位置に設けられている。接着部７０をコネクタ６０と平面視で重ならない位置に設けることによって、伸縮性実装基板１ｄが生体に貼り付けられた状態では、伸縮性実装基板１ｄの貼付面の伸縮の影響がコネクタ６０に及びにくくなるため、結果的に、コネクタ６０が外れにくくなる。また、伸縮性実装基板１ｄの貼付面の振動がコネクタ６０に伝わりにくくなるため、振動によるノイズが低減する。
【００５９】
以上で説明した本発明の各実施形態に係る伸縮性実装基板では、機能部品としての増幅器５０及びコネクタ６０は、樹脂材料で被覆されて伸縮性配線２０に固定されていてもよい。
【００６０】
以上で説明した本発明の各実施形態に係る伸縮性実装基板では、機能部品として増幅器５０及びコネクタ６０を例示したが、機能部品の他の例としては、スイッチ、センサ、等が挙げられる。
【００６１】
以上で説明した本発明の各実施形態に係る伸縮性実装基板では、伸縮性基材として第一の伸縮性基材１０及び第二の伸縮性基材３０を有する構成を例示したが、伸縮性基材として第一の伸縮性基材１０のみを有する構成であってもよい。
【符号の説明】
【００６２】
１ａ、１ｂ、１ｃ、１ｄ  伸縮性実装基板
１０  第一の伸縮性基材
２０  伸縮性配線
３０  第二の伸縮性基材
３１  第一の開口
３２  第二の開口
４０  電極
５０  増幅器
５１  増幅器の実装部
５１Ａ  増幅器の実装部の第一の輪郭線
５１Ｂ  増幅器の実装部の第二の輪郭線
６０  コネクタ
６１  コネクタの実装部
６１Ａ  コネクタの実装部の第一の輪郭線
６１Ｂ  コネクタの実装部の第二の輪郭線
７０  接着部
８０  外部基板
【図１】
2020158031.tif 000003
【図２】
2020158031.tif 000004
【図３】
2020158031.tif 000005
【図４】
2020158031.tif 000006
【図５】
2020158031.tif 000007
【図６】
2020158031.tif 000008
【図７】
2020158031.tif 000009
【図８】
2020158031.tif 000010
【図９】
2020158031.tif 000011
【図１０】
2020158031.tif 000012
【国際調査報告】
2020158031.tif 000013
2020158031.tif 000014
2020158031.tif 000015